(57)【要約】【課題】外径が異なる複数種類のフェライトコアを密着状態に収容する。【解決手段】フィルタケースＡは、導電路６０Ｌ，６０Ｓを挟むように一対のコア構成体５１Ｌ，５１Ｓを合体した形態のフェライトコア５０Ｌ，５０Ｓを収容するものであって、第１ケース構成体１０と、第１ケース構成体１０と合体されることで、フェライトコア５０Ｓを収容する収容空間１７を構成する第２ケース構成体２０と、第１ケース構成体１０に形成され、合体方向に並ぶように形成された複数の第１係止部３１と、第２ケース構成体２０に形成され、複数の第１係止部３１のうちいずれかの第１係止部３１と選択的に係止することで、第１ケース構成体１０と第２ケース構成体１０を合体状態にロックする第２係止部４４とを備えている。【選択図】図２
2016082119.tif 000002
【特許請求の範囲】
【請求項１】
導電路を挟むように一対のコア構成体を合体した形態のフェライトコアを収容するフィルタケースであって、
第１ケース構成体と、
前記第１ケース構成体と合体されることで、前記フェライトコアを収容する収容空間を構成する第２ケース構成体と、
前記第１ケース構成体に形成され、合体方向に並ぶように形成された複数の第１係止部と、
前記第２ケース構成体に形成され、前記複数の第１係止部のうちいずれかの前記第１係止部と選択的に係止することで、前記第１ケース構成体と前記第２ケース構成体を合体状態にロックする第２係止部とを備えていることを特徴とするフィルタケース。
【請求項２】
前記第１ケース構成体と前記第２ケース構成体のうち少なくとも一方の前記ケース構成体が、前記導電路と平行な軸を支点として相対変位することで前記フェライトコアの外周を押圧する複数の押圧部を備えて構成されていることを特徴とする請求項１記載のフィルタケース。
【請求項３】
前記押圧部が弾性撓み可能であることを特徴とする請求項２記載のフィルタケース。
【請求項４】
前記複数の押圧部が弾性撓み可能なヒンジを介して連結されていることを特徴とする請求項２又は請求項３記載のフィルタケース。
【請求項５】
一対のコア構成体を合体した形態であり、前記一対のコア構成体の間に導電路を挟むように挿通させるフェライトコアと、
第１ケース構成体と第２ケース構成体を合体した形態であり、前記フェライトコアを収容するフィルタケースと、
前記第１ケース構成体に形成され、合体方向に並ぶように形成された複数の第１係止部と、
前記第２ケース構成体に形成され、前記複数の第１係止部のうちいずれかの前記第１係止部と選択的に係止することで、前記第１ケース構成体と前記第２ケース構成体を合体状態にロックする第２係止部とを備えていることを特徴とするノイズフィルタ。
【発明の詳細な説明】
【技術分野】
【０００１】
本発明は、フィルタケース及びノイズフィルタに関するものである。
【背景技術】
【０００２】
特許文献１には、導電路を包囲するフェライトコアと、フェライトコアを収容する筒状のフィルタケースとを備えたノイズフィルタが開示されている。フェライトコアは一対のコア構成体を合体させて構成され、フィルタケースは、一対のケース構成体を合体させて構成されている。ケース構成体には、コア構成体を径方向内側へ押圧する弾性押圧片が形成されている。この弾性押圧片により、一対のコア構成体を密着させ、良好なフィルタ性能を確保している。
【先行技術文献】
【特許文献】
【０００３】
【特許文献１】特開２０１４−１１０３４３号公報
【発明の概要】
【発明が解決しようとする課題】
【０００４】
弾性押圧片は、ケース構成体の一部を切り起こし状に形成した形態であるため、径方向への弾性撓み量には制約がある。そのため、外径が異なる複数種類のフェライトコアに対応させることができなかった。
【０００５】
本発明は上記のような事情に基づいて完成されたものであって、外径が異なる複数種類のフェライトコアを密着状態に収容することを目的とする。
【課題を解決するための手段】
【０００６】
第１の発明のフィルタケースは、
導電路を挟むように一対のコア構成体を合体した形態のフェライトコアを収容するフィルタケースであって、
第１ケース構成体と、
前記第１ケース構成体と合体されることで、前記フェライトコアを収容する収容空間を構成する第２ケース構成体と、
前記第１ケース構成体に形成され、合体方向に並ぶように形成された複数の第１係止部と、
前記第２ケース構成体に形成され、前記複数の第１係止部のうちいずれかの前記第１係止部と選択的に係止することで、前記第１ケース構成体と前記第２ケース構成体を合体状態にロックする第２係止部とを備えているところに特徴を有する。
【０００７】
第２の発明のノイズフィルタは、
一対のコア構成体を合体した形態であり、前記一対のコア構成体の間に導電路を挟むように挿通させるフェライトコアと、
第１ケース構成体と第２ケース構成体を合体した形態であり、前記フェライトコアを収容するフィルタケースと、
前記第１ケース構成体に形成され、合体方向に並ぶように形成された複数の第１係止部と、
前記第２ケース構成体に形成され、前記複数の第１係止部のうちいずれかの前記第１係止部と選択的に係止することで、前記第１ケース構成体と前記第２ケース構成体を合体状態にロックする第２係止部とを備えているところに特徴を有する。
【発明の効果】
【０００８】
第１の発明及び第２の発明によれば、複数の第１係止部のうち第２係止部が係止する第１係止部を変えると、第１ケース構成体と第２ケース構成体の合体完了時の位置関係が変わるので、外径が異なる複数種類のフェライトコアに対して、一対のコア構成体同士を両ケース構成体で挟んで密着させることができる。
【図面の簡単な説明】
【０００９】
【図１】実施例１のフィルタケースに比較的小径のフェライトコアを取り付けて構成されたノイズフィルタの正面図
【図２】図１のＸ−Ｘ線断面図
【図３】フィルタケースに図１，２よりも外径寸法の大きいフェライトコアを取り付けて構成されたノイズフィルタのＸ−Ｘ線相当断面図
【発明を実施するための形態】
【００１０】
（１）第１の発明のフィルタケース及び第２発明のノイズフィルタは、前記第１ケース構成体と前記第２ケース構成体のうち少なくとも一方の前記ケース構成体が、前記導電路と平行な軸を支点として相対変位することで前記フェライトコアの外周を押圧する複数の押圧部を備えて構成されていてもよい。
この構成によれば、フェライトコアの外径寸法に拘わらず、フェライトコアの外周における周方向に間隔を空けた複数箇所に対し、フィルタケースから径方向内向きの押圧力を付与することができる。
【００１１】
（２）第１の発明のフィルタケース及び第２の発明のノイズフィルタは、（１）において、前記押圧部が弾性撓み可能であってもよい。
複数の第１係止部は間隔を空けて並ぶように配置されているため、両ケース構成体を合体したときに、ケース構成体の内周面とフェライトコアの外周面との間に隙間が生じることが懸念される。しかし、押圧部を弾性撓みさせてフェライトコアの外周面に弾性的に当接させることにより、両コア構成体を確実に密着させることができる。
【００１２】
（３）第１の発明のフィルタケース及び第２の発明のノイズフィルタは、（１）又は（２）において、前記複数の押圧部が弾性撓み可能なヒンジを介して連結されていてもよい。
複数の第１係止部は間隔を空けて並ぶように配置されているため、両ケース構成体を合体したときに、ケース構成体の内周面とフェライトコアの外周面との間に隙間が生じることが懸念される。しかし、ヒンジを弾性撓みさせることにより、押圧部をフェライトコアの外周面に弾性的に当接させることができるので、両コア構成体を確実に密着させることができる。
【００１３】
＜実施例１＞
以下、本発明を具体化した実施例１を図１〜図３を参照して説明する。本実施例１のフィルタケースＡは、外径寸法の異なる２種類のフェライトコア５０Ｌ，５０Ｓを組み付けることによりノイズフィルタＦａ，Ｆｂを構成するものである。ノイズフィルタＦａ，Ｆｂを構成するフェライトコア５０Ｌ，５０Ｓは、導電路６０Ｌ，６０Ｓを包囲することにより、導電路６０Ｌ，６０Ｓのノイズを除去する。尚、以下の説明において、前後の方向に関しては、図２，３における右側を前側と定義する。また、上下の方向に関しては、図１〜３にあらわれる向きを、そのまま上側、下側と定義する。
【００１４】
フィルタケースＡは、合成樹脂製の単一部品として成形されたものであり、第１ケース構成体１０と第２ケース構成体２０をメインヒンジ１８で相対変位可能に連結した形態である。第１ケース構成体１０は全体として略半円弧状をなし、第１ケース構成体１０の内部は第１収容凹部１１となっている。第２ケース構成体２０も全体として略半円弧状をなし、第２ケース構成体２０の内部は第２収容凹部２１となっている。フィルタケースＡは、第１収容凹部１１と第２収容凹部２１を外部へ大きく開放させた形態で金型（図示省略）により成形されている。メインヒンジ１８を支点として両ケース構成体を合体させると、フィルタケースＡが略円筒形となり、フィルタケースＡの内部には、両収容凹部１１，２１により収容空間１７が構成される。
【００１５】
第１ケース構成体１０は、第１周壁部１２と、左右一対の第１規制壁部１５とを備えている。第１周壁部１２は、前側第１押圧部１３Ｆ（請求項に記載の押圧部）と、中央第１押圧部１３Ｃ（請求項に記載の押圧部）と、後側第１押圧部１３Ｒ（請求項に記載の押圧部）とを備えている。これらの押圧部１３Ｆ，１３Ｃ，１３Ｒは、全て板状をなしていて、第１サブヒンジ１４（請求項に記載のヒンジ）により、周方向に並ぶように且つ第１サブヒンジ１４を支点として相対変位し得るように連結されている。周方向に隣り合う第１押圧部１３Ｆ，１３Ｃ，１３Ｒ同士は、第１サブヒンジ１４を弾性変形させながら、後述する導電路６０Ｌ，６０Ｓの軸線と平行な軸を中心として相対変位し得るようになっている。
【００１６】
第１規制壁部１５は、各第１押圧部１３Ｆ，１３Ｃ，１３Ｒの左右両端縁から、夫々、径方向内向きに（第１収容凹部１１に臨むように）延出した３対の第１板状規制部１６によって構成されている。第１規制壁部１５は、第１収容凹部１１内に収容されたフェライトコア５０Ｌ，５０Ｓ（コア構成体５１Ｌ，５１Ｓ）が左右方向（導電路６０Ｌ，６０Ｓの軸線方向）へ離脱することを規制する。
【００１７】
第２ケース構成体２０は、第２周壁部２２と、左右一対の第２規制壁部２５とを備えている。第２周壁部２２は、前側第２押圧部２３Ｆ（請求項に記載の押圧部）と、中央第２押圧部２３Ｃ（請求項に記載の押圧部）と、後側第２押圧部２３Ｒ（請求項に記載の押圧部）とを備えている。これらの押圧部２３Ｆ，２３Ｃ，２３Ｒは、全て板状をなしていて、第２サブヒンジ２４（請求項に記載のヒンジ）により、周方向に並ぶように且つ第２サブヒンジ２４を支点として相対変位し得るように連結されている。周方向に隣り合う第２押圧部２３Ｆ，２３Ｃ，２３Ｒ同士は、第２サブヒンジ２４を弾性変形させながら、後述する導電路６０Ｌ，６０Ｓの軸線と平行な軸を中心として相対変位し得るようになっている。
【００１８】
第２規制壁部２５は、各第２押圧部２３Ｆ，２３Ｃ，２３Ｒの左右両端縁から、夫々、径方向内向きに（第２収容凹部２１に臨むように）延出した３対の第２板状規制部２６によって構成されている。第２規制壁部２５は、第２収容凹部２１内に収容されたフェライトコア５０Ｌ，５０Ｓ（コア構成体５１Ｌ，５１Ｓ）が左右方向（導電路６０Ｌ，６０Ｓの軸線方向）へ離脱することを規制する。
【００１９】
第１サブヒンジ１４と第２サブヒンジ２４の剛性は、メインヒンジ１８の剛性よりも高く設定されているので、第１ケース構成体１０と第２ケース構成体２０を合体させる際には、メインヒンジ１８は大きく弾性撓みするが、サブヒンジ１４，２４は殆ど変形しない。したがって、第１ケース構成体１０と第２ケース構成体２０を合体させる過程では、第１ケース構成体１０も第２ケース構成体２０も、略半円弧形の形状を維持する。
【００２０】
フィルタケースＡには、第１ケース構成体１０と第２ケース構成体２０を合体した状態にロックするための手段として、左右一対の第１ロック部３０と左右一対の第２ロック部４０が形成されている。尚、以下の説明において、「合体方向」は、両ケース構成体１０，２０が合体する過程の終期において、第１ロック部３０と第２ロック部４０が相対変位する方向（図２における上下方向）と定義する。
【００２１】
第１ロック部３０は、第１ケース構成体１０に一体に形成されている。第１ロック部３０は、前側第１押圧部１３Ｆの前端縁から合体方向（周方向）へ片持ち状に延出した形態である。第１ロック部３０の外面には、溝状をなす複数の第１係止部３１が、合体方向に沿って一定ピッチで形成されている。各第１係止部３１は、夫々、合体方向（第１係止部３１の並び方向）に対して略直角をなす第１係止面３２と、合体方向に対して傾斜した第１誘導面３３を有している。
【００２２】
第２ロック部４０は、前側第２押圧部２３Ｆの外面から突出する左右一対の側壁部４１と、両側壁部４１の突出端縁同士を連結する形態の受け部４２と、両側壁部４１の突出端縁同士を連結する形態の保護部４３とを備えて構成されている。受け部４２の内面（前側第２押圧部２３Ｆと対向する面）には、突起状をなす２つの第２係止部４４が、合体方向に並んで形成されている。各第２係止部４４は、合体方向に対して略直角をなす第２係止面４５と、合体方向に対して傾斜した第２誘導面４６とを有している。この２つの第２係止部４４のピッチは、複数の第１係止部３１のピッチと同じである。保護部４３は、合体方向において、第２係止部４４を挟んで第１ケース構成体１０とは反対側の位置に配置されている。
【００２３】
外径寸法の小さいフェライトコア５０Ｓは、図２に示すように、半円弧形をなす一対のコア構成体５１Ｓを合体させて円環形に構成されている。一対のコア構成体５１Ｓは、同一形状、同一寸法の部品である。両コア構成体５１Ｓを合体した状態では、フェライトコア５０Ｓに、左右方向に貫通する円形断面の挿通孔５２Ｓが形成される。この挿通孔５２Ｓには外径寸法の大きい導電路６０Ｓが貫通される。導電路６０Ｓは、１本の電線、複数本の電線を束ねたワイヤーハーネス等であり、断面が円形をなしている。一対のコア構成体５１Ｓで導電路６０Ｓを挟むように包囲することにより、導電路６０Ｓのノイズが除去される。
【００２４】
外径寸法の大きいフェライトコア５０Ｌは、図３に示すように、半円弧形をなす一対のコア構成体５１Ｌを合体させて円環形に構成されている。一対のコア構成体５１Ｌは、同一形状、同一寸法の部品である。両コア構成体５１Ｌを合体した状態では、フェライトコア５０Ｌに、左右方向に貫通する円形断面の挿通孔５２Ｌが形成される。この挿通孔５２Ｌには外径寸法の大きい導電路６０Ｌが貫通される。導電路６０Ｌは、１本の電線、複数本の電線を束ねたワイヤーハーネス等であり、断面が円形をなしている。一対のコア構成体５１Ｌで導電路６０Ｌを挟むように包囲することにより、導電路６０Ｌのノイズが除去される。
【００２５】
フェライトコア５０Ｌ，５０Ｓは、フィルタケースＡの収容空間１７内に収容される。フェライトコア５０Ｌ，５０Ｓの軸線方向（左右方向）の寸法は、一対の規制壁部１５，２５の間隔とほぼ同じ寸法である。したがって、収容空間１７内に収容されたフェライトコア５０Ｌ，５０Ｓは、左右方向へ離脱する虞はない。また、フィルタケースＡを合体した状態で、第１規制壁部１５を構成する複数の第１板状規制部１６の突出端縁と、第２規制壁部２５を構成する複数の第２板状規制部２６の突出端縁は、挿通孔５２Ｌ，５２Ｓとほぼ同心の円に沿うように配置される。これらの板状規制部１６，２６の突出端縁は、導電路６０Ｌ，６０Ｓの外周よりも径方向外方に位置しているので、規制壁部１５，２５が導電路６０Ｌ，６０Ｓと干渉する虞はない。
【００２６】
次に、ノイズフィルタＦａの組付けと導電路６０Ｓへの取付けの作業を説明する。まず、第１ケース構成体１０と第２ケース構成体２０を開き、収容凹部１１，２１が上方へ開放する向きとする。この状態で、各収容凹部１１，２１に、夫々、コア構成体５１Ｓを収容する。このとき、ケース構成体１０，２０の内周面とコア構成体５１Ｓの外周面に、両者の離脱を防止する係止手段を形成してもよい。そして、第２ケース構成体２０のコア構成体５１Ｓに、細い方の導電路６０Ｓをセットする。
【００２７】
フィルタケースＡにコア構成体５１Ｓと導電路６０Ｓをセットしたら、メインヒンジ１８を変形させながら第１ケース構成体１０と第２ケース構成体２０を合体させる。このとき、導電路６０Ｓがセットされている第２ケース構成体２０は向きを変えず、第１ケース構成体１０を反転させるようにする。合体工程の終期では、第１ロック部３０の延出端部を、前側第２押圧部２３Ｆの外周面と第２ロック部４０の受け部４２との間に差し込んでいく。第１ロック部３０を差し込む過程では、ラチェット溝状の第１係止部３１と爪状の第２係止部４４が、双方の誘導面３３，４６同士を摺接させるようにして干渉する。
【００２８】
そして、両コア構成体５１Ｓが密着するまで両ケース構成体１０，２０を接近させると、両ケース構成体１０，２０の合体が完了してフィルタケースＡが構成されるとともに、両コア構成体５１Ｓの合体が完了してフェライトコア５０Ｓが構成され、ノイズフィルタＦａの組み立て作業が完了する。また、ノイズフィルタＦａの組み立てが完了すると同時に、導電路６０Ｓに対するノイズフィルタＦａの取り付け作業も完了する。
【００２９】
ノイズフィルタＦａの組み立てが完了した状態では、合体方向に並ぶ複数の第１係止部３１のうちいずれかの第１係止部３１が、第２係止部４４と係止する。即ち、突起状の第２係止部４４が溝状の第１係止部３１内に嵌入し、第１係止面３２と第２係止面４５とが合体方向に当接する。この当接作用により、両ケース構成体１０，２０は、離間する方向への相対変位を規制された状態にロックされる。これにより、フェライトコア５０Ｓは両コア構成体５１Ｓを密着させた状態に保持される。
【００３０】
また、外径寸法の大きいフェライトコア５０Ｌを用いたノイズフィルタＦｂの組付けと、太い方の導電路６０Ｌへり取付け作業も、上記と同様にして行うことができる。本実施例１のフィルタケースＡは、外径寸法の異なる２種類のフェライトコア５０Ｌ，５０Ｓだけでなく、このフェライトコア５０Ｌ，５０Ｓとは外径寸法の異なる他のフェライトコアも取り付けることができる。図１，２に示すノイズフィルタＦａは、外径寸法が比較的小さいフェライトコア５０ＳをフィルタケースＡに取り付けたものであり、図３に示すノイズフィルタＦｂは、外径寸法が比較的大きい（図１，２に示すフェライトコア５０Ｓよりも大きい）フェライトコア５０ＬをフィルタケースＡに取り付けたものである。
【００３１】
図２と図３を比較すると、比較的小径のフェライトコア５０ＳをフィルタケースＡに収容したノイズフィルタＦａでは、第１ロック部３０がその基端部（図１，２における上端部）まで深く第２ロック部４０と嵌合し、複数の第１係止部３１のうち基端側（上側）の第１係止部３１が第２係止部４４と係止する。また、第１ロック部３０の先端部（図１，２における下端部）は、前側第２押圧部２３Ｆの外周と保護部４３との間に収容され、異物の干渉から保護される。そして、両ケース構成体１０，２０の上下方向（合体方向）の距離も小さくなっている。
【００３２】
一方、比較的大径のフェライトコア５０ＬをフィルタケースＡに収容したノイズフィルタＦｂでは、第２ロック部４０に対する第１ロック部３０の嵌合深さが浅く、第１ロック部３０はその先端部において第２ロック部４０と嵌合する。即ち、複数の第１係止部３１のうち先端側（下側）の第１係止部３１が第２係止部４４と係止する。そして、両ケース構成体１０，２０の上下方向（合体方向）の距離は大きくなっている。
【００３３】
また、フィルタケースＡが合体状態にロックされるまで第１係止部３１と第２係止部４４を係止させる過程では、サブヒンジ１４，２４と押圧部１３Ｆ，１３Ｃ，１３Ｒ，２３Ｆ，２３Ｃ，２３Ｒを僅かに弾性撓みさせる。すると、サブヒンジ１４，２４と押圧部１３Ｆ，１３Ｃ，１３Ｒ，２３Ｆ，２３Ｃ，２３Ｒの弾性復元力により、第１周壁部１２の内周面と第２周壁部２２の内周面が、フェライトコア５０Ｌ，５０Ｓの外周面を径方向内側へ押圧する。これにより、コア構成体５１Ｌ同士及びコア構成体５１Ｓ同士が確実に密着し、フェライトコア５０Ｌ，５０Ｓのフィルタ性能が向上する。
【００３４】
本実施例１のフィルタケースＡは、一対のコア構成体５１Ｌ同士又は一対のコア構成体５１Ｓ同士を合体した形態であって外径が異なる２種類のフェライトコア５０Ｌ，５０Ｓを選択的に密着状態に収容するためのものである。フィルタケースＡは、第１ケース構成体１０と、第１ケース構成体１０と合体されることで、フェライトコア５０Ｌ，５０Ｓを収容する収容空間１７を構成する第２ケース構成体２０とを備えている。第１ケース構成体１０には、合体方向に並ぶように形成された複数の第１係止部３１が形成され、第２ケース構成体２０には、複数の第１係止部３１のうちいずれかの第１係止部３１と選択的に係止することで、両ケース構成体１０，２０を合体状態にロックする第２係止部４４が形成されている。
【００３５】
この構成によれば、複数の第１係止部３１のうち第２係止部４４が係止する第１係止部３１を変えると、第１ケース構成体１０と第２ケース構成体２０の合体完了時の位置関係が変わるので、外径が異なる２種類のフェライトコア５０Ｌ，５０Ｓに対して、一対のコア構成体５１Ｌ同士又は一対のコア構成体５１Ｓ同士を両ケース構成体１０，２０で挟んで密着させることができる。
【００３６】
また、第１ケース構成体１０と第２ケース構成体２０は、導電路６０Ｌ，６０Ｓと平行な軸を支点として相対変位可能な複数の押圧部１３Ｆ，１３Ｃ，１３Ｒ，２３Ｆ，２３Ｃ，２３Ｒを備えて構成されている。この構成によれば、フェライトコア５０Ｌ，５０Ｓの外径寸法に拘わらず、フェライトコア５０Ｌ，５０Ｓの外周における周方向に間隔を空けた複数箇所に対し、フィルタケースＡからの径方向内向きの押圧力を付与することができる。
【００３７】
また、複数の第１係止部３１の第１係止面３２は間隔を空けて並ぶように配置されているため、両ケース構成体１０，２０を合体したときに、ケース構成体１０，２０の内周面とフェライトコア５０Ｌ，５０Ｓの外周面との間に隙間が生じることが懸念される。しかし、押圧部１３Ｆ，１３Ｃ，１３Ｒ，２３Ｆ，２３Ｃ，２３Ｒは弾性撓みし得るようになっているので、押圧部１３Ｆ，１３Ｃ，１３Ｒ，２３Ｆ，２３Ｃ，２３Ｒを弾性撓みさせることにより、押圧部１３Ｆ，１３Ｃ，１３Ｒ，２３Ｆ，２３Ｃ，２３Ｒの内面をフェライトコア５０Ｌ，５０Ｓの外周面に弾性的に当接させることができる。しかも、複数の押圧部１３Ｆ，１３Ｃ，１３Ｒ，２３Ｆ，２３Ｃ，２３Ｒは弾性撓み可能なサブヒンジ１４，２４を介して連結されているので、サブヒンジ１４，２４を弾性撓みさせることによっても、押圧部１３Ｆ，１３Ｃ，１３Ｒ，２３Ｆ，２３Ｃ，２３Ｒの内面をフェライトコア５０Ｌ，５０Ｓの外周面に弾性的に当接させることができる。したがって、両コア構成体５１Ｌ同士及びコア構成体５１Ｓ同士を確実に密着させることができる。
【００３８】
＜他の実施例＞
本発明は上記記述及び図面によって説明した実施例に限定されるものではなく、例えば次のような実施例も本発明の技術的範囲に含まれる。
（１）上記実施例１では、フェライトコアに形成される挿通孔が１つであったが、本発明は、１つのフェライトコアに複数の挿通孔が形成されている場合にも適用できる。
（２）上記実施例１では、フィルタケースが第１ケース構成体と第２ケース構成体をヒンジで連結した単一部品であったが、第１ケース構成体と第２ケース構成体は別体部品であってもよい。
（３）上記実施例１では、第１係止部と第２係止部を、第１ケース構成体と第２ケース構成体の前側のみに形成したが、第１係止部と第２係止部は、第１ケース構成体と第２ケース構成体の後側のみに形成してもよく、第１ケース構成体と第２ケース構成体の前後両側に形成してもよい。
（４）上記実施例１では、第１ケース構成体と第２ケース構成体の両方が、導電路と平行な軸回りに相対変位可能な複数の押圧部で構成されているが、第１ケース構成体と第２ケース構成体のうち一方又は両方が、容易に変形しない剛性の高い弧状部材であってもよい。
（５）上記実施例１では、押圧部を平板状としたが、押圧部は、湾曲した板状、屈曲した板状、アーム状等でもよい。また、押圧部のうちフェライトコアの外周面に当接する領域は、板状に限らず、突起状であってもよい。
（６）上記実施例１では、第１係止部を第１ロック部の外面に形成し、第２係止部を第２ロック部の内面に形成したが、第１係止部を第１ロック部の内面に形成し、第２係止部を第２ロック部の外面に形成してもよい。
（７）上記実施例１では、押圧部が弾性撓みし得るようにしたが、押圧部は弾性撓みしない形態であってもよい。
（８）上記実施例１では、複数の押圧部を弾性撓み可能なヒンジを介して連結したが、各押圧部を別体の部品とし、押圧部同士をピン等で連結してもよい。
（９）上記実施例１では、２つの第２係止部を合体方向に並べて形成したが、第２係止部の数は、１つでもよく、３つ以上でもよい。
【符号の説明】
【００３９】
Ａ…フィルタケース
Ｆａ，Ｆｂ…ノイズフィルタ
１０…第１ケース構成体
１３Ｃ…中央第１押圧部（押圧部）
１３Ｆ…前側第１押圧部（押圧部）
１３Ｒ…後側第１押圧部（押圧部）
１４，２４…サブヒンジ（ヒンジ）
１７…収容空間
２０…第２ケース構成体
２３Ｃ…中央第２押圧部（押圧部）
２３Ｆ…前側第２押圧部（押圧部）
２３Ｒ…後側第２押圧部（押圧部）
３１…第１係止部
４４…第２係止部
５０Ｌ，５０Ｓ…フェライトコア
５１Ｌ，５１Ｓ…コア構成体
６０Ｌ，６０Ｓ…導電路
【図１】
2016082119.tif 000003
【図２】
2016082119.tif 000004
【図３】
2016082119.tif 000005